(57)【特許請求の範囲】
【請求項１】
カードの表側に情報記録部およびマークを印字し、前記情報記録部の少なくとも一部および前記マークをカードの裏面側から読み取り可能なように光透過性材料にて形成したカードを使用し、前記カードの光透過性材料を透過可能な特性を有する光を発生させて前記情報記録部の少なくとも一部の情報および前記マークを光学的に読み取る工程と、前記読み取ったマークを判別することにより前記読み取った情報が前記カードの表情報か否かを判定する工程と、前記読み取った情報が前記カードの表情報でなかった場合に前記読み取った情報を表情報に変換する工程とを含むことを特徴とするカード情報の読み取り方法。
【発明の詳細な説明】
【０００１】
【発明の属する技術分野】
本発明は、カード情報読み取り方法に関し、特に、カードが裏返っていても容易にカード情報の読み取りができるカード情報の読み取り方法に関するものである。
【０００２】
【従来の技術】
カードに印刷された２次元コードを読み取るときには、カメラまたはスキャナーを用いている。この場合、片面に２次元コードを印刷したカードから２次元コードを読み取るときには、▲１▼予めカードの表裏を揃えてカードを読み取り装置にセットする。▲２▼読み取り装置にカードの表裏両方が読み取れるように２セットのカメラまたはスキャナーを備える。▲３▼読み取り装置に１セットのカメラとカードの両面が読み取れるように鏡を設置してカードの表と裏を切換ながら読み取る、等の方法がある。
また、特開平４−８４３８４号公報は、磁気カードの読み取りにおいて、磁気カードの裏表を反転させる機構を開示している。
【０００３】
【発明が解決しようとする課題】
しかし、上記従来の方法では以下のような問題があった。▲１▼大量のカードの表裏を手作業で仕分けするのは大変な労力が必要になる。▲２▼２セットのカメラまたはスキャナーを備えることで読み取り装置が大型化し、コストが高くなり易い。▲３▼カードの表と裏を鏡で切り換える方法は、カードとスキャナー等との距離が長くなるので、比較的安いスキャナー等が使用できない。切り換えるためカメラのピント調節が難しい。カメラとカードとの距離が長くなるので、カードに印字された２次元コードの情報密度に制限がでる、などの問題があった。
そこで、本願発明の課題は、上述の従来例の欠点をなくし、カードが裏返っていても容易にカード情報の読み取りができるカード情報読み取り方法を提供することである。
【０００４】
【課題を解決するための手段】
上記課題を解決するため、本願の第１の発明の構成は、カードの表側に情報記録部およびマークを印字し、前記情報記録部の少なくとも一部および前記マークをカードの裏面側から読み取り可能なように光透過性材料にて形成したカードを使用し、前記カードの光透過性材料を透過可能な特性を有する光を発生させて前記情報記録部の少なくとも一部の情報および前記マークを光学的に読み取る工程と、前記読み取ったマークを判別することにより前記読み取った情報が前記カードの表情報か否かを判定する工程と、前記読み取った情報が前記カードの表情報でなかった場合に前記読み取った情報を表情報に変換する工程とを含むことを特徴とするカード情報の読み取り方法である。
【０００５】
上記第１の発明の構成のカード情報読み取り方法では、カードの表側に情報記録部（例えば段落００２３の２次元コード２１である）、およびマーク（例えば段落００２３の情報「ア」２２である）を印字し、前記情報記録部の少なくとも一部および前記マークをカードの裏面側から読み取り可能なように光透過性材料にて形成したカードを使用し、カードの光透過性材料を透過可能な特性を有する光を発生させて前記情報記録部の少なくとも一部の情報および前記マークを光学的に読み取り、前記読み取ったマークを判別することにより前記読み取った情報がカードの表情報か否かを判定し、読み取った情報がカードの表情報でなかった場合に前記読み取った情報を表情報に変換するので、カードを反転することなくカード情報の読み取りが可能となる。
更に、カードが裏返っているときでも、前記光がカードの光透過性材料を透過することによりカード情報を浮き上がらせることができるので、カードの裏面からカード情報の読み取りが可能となる。更に、カードの表裏の判別が容易になり、カード情報読み取り装置をカードの片側に配置するのみで、カードが裏返っているときでも、カードの裏面側からカード情報を読み取ることができる。
【０００６】
【発明の実施の形態】
図１は本願発明の第１の実施の形態に係わるカード情報読み取り方法を示し、図２はこの方法に使用するカード情報読み取り装置を模式的に示す。なお図２（ａ）は正面を示し、図２（ｂ）は平面を示している。
【０００７】
図２に示すカード情報読み取り装置では、フレーム１０にＣＰＵ（central processing unit ）１、シートスタッカ２、搬送ローラ３ａ〜３ｆ、デコーダ４の支柱４ａ、セレクタ５ａ、５ｂ、ＮＧシートポケット６、ＯＫシートポケット７、光源８及びガラス板９が配設されている。
ＣＰＵ１は、搬送ローラ３ａ〜３ｆ、デコーダ４、セレクタ５ａ、５ｂ、光源８を制御してカードとしてのシート１１の情報を読み取る操作全体を制御するものである。搬送ローラ３ａ、３ｂは対になってシート１１を挟んで搬送する。搬送ローラ３ｃ、３ｄの対及び搬送ローラ３ｅ、３ｆの対も前記搬送ローラ３ａ、３ｂの対と同様に動作する。なお、図中シート１１の厚さは、説明の都合上実際より厚く描かれている。なお、搬送ローラ３ａ〜３ｆは、図１の搬送コンベアに相当するものである。
【０００８】
シート１１は薄いものであり、光を通過する半透明、または通常では不透明なもの（例えば紙やＰＥＴ等の合成紙等）である。シート１１の表面側（情報が書かれている側）の中央部分には、シートに書かれている情報を２次元にコード化した２次元コード（例えばＱＲコード）が印字されている。このため、シート１１の向きが搬送方向において反対になっても前記２次元コードを読み取ることができる。
デコーダ４の入力部はカメラやスキャナ等であり、シート１１の片面が最適に読み取れる角度（例えば直角）に配設されている。
搬送ローラ３ａ〜３ｆの間隔は、シート１１の長さ（図２におけるシート１１の搬送方向の長さ）より短い。なお、搬送ローラの数は図示されているものに限定されない。また、図２（ｂ）では搬送ローラ３ａ〜３ｆの図示が省略されている。
光源８は例えばフラッシュ光やレーザ光のような強い光を照射するものである。
シートスタッカ２に積層されたシート１１が搬送ローラ３ａ〜３ｆによりデコーダ４の下に搬送され、デコーダ４にてシート１１の情報が読み取られる。その後シート１１は、搬送ローラ３ｅ、３ｆにより搬送され、セレクタ５ａ、５ｂにより選別されて、読み取りＮＧのときはＮＧシートポケット６に搬送され、読み取りＯＫのときはＯＫシートポケット７に搬送される。なお、５ａは読み取りＮＧのときのセレクタの位置を示し、５ｂは読み取りＯＫのときのセレクタの位置を示している。
【０００９】
図１に示すフローチャートにおいて、ステップＡ１においてスタートし、ステップＡ２に進む。
次に、ステップＡ２において、搬送コンベアを駆動してシート１１を１枚取り出し、ステップＡ３に進む。
次に、ステップＡ３において、シート１１がデコーダ４の真下に来たら搬送コンベアを停止し、ステップＡ４に進む。
次に、ステップＡ４において、デコーダ４でシート１１に印字された２次元コードを読み取り、ステップＡ５に進む。
次に、ステップＡ５において、規定時間内に２次元コードが読めたか否か判定する。判定結果がＹＥＳであればステップＡ９に進み、判定結果がＮＯであればステップＡ６に進む。
次に、ステップＡ６では、シート１１の図示下面側に印字されているとして、光源８によりガラス板９を介してシート１１の図示下面側に強い光を照射し、該下面側に印字された２次元コードを浮き出させる。その後、ステップＡ７に進む。
次に、ステップＡ７では、デコーダ４でシート１１に印字された２次元コード（ステップＡ６で図２の図示上側である裏側（２次元コードが印字されていない側）に浮き出たもの）を裏側であると認識して読み取り、その後、ステップＡ８に進む。
【００１０】
次に、ステップＡ８では、デコーダ４で読み取ったデータについて、シート１１の表と裏を反転させてからデコード（文字や記号へ復元）し、ステップＡ９に進む。
次に、ステップＡ９では、読み取りできた否か判定（この判定はホストコンピュータで行ってもよい。）する。判定結果がＹＥＳであればステップＡ１０に進み、一方判定結果がＮＯであればステップＡ１１に進む。
次に、ステップＡ１０では、セレクタによりシート１１をＯＫシートポケット７へ搬送する。このときのセレクタの位置を点線５ｂで示す。次にステップＡ１２に進。
一方、ステップＡ１１では、セレクタによりシート１１をＮＧシートポケット６へ搬送する。このときのセレクタの位置を実線５ａで示す。次に、ステップＡ１２に進む。
次に、ステップ１２ではシートスタッカ２が空であるか否か判定する。判定結果がＮＯであればステップＡ２に戻り順次各ステップを繰り返す。一方、判定結果がＹＥＳであればステップＡ１３に進み終了する。
【００１１】
図４は第２の実施の形態に使用する装置を示している。図４では、図２の光源８及びガラス板９が省略されている。また、ＣＰＵ１ａは図２のＣＰＵ１に相当し、デコーダ４の真下のシート１１を載置する平坦な部分は、シート１１の２次元コードの読み取りが容易なように白色または鏡面等コントラストが明瞭なものである。その他は図２と同じである。
図５ではシート１１に印字された２次元コード近傍にシート１１の裏表を識別する情報が印字されている。図５（ａ）はシート１１の表側を示し、２次元コード２１の近傍に表側であることを示す情報「ア」２２が印字されている。
図５（ｂ）では、シート１１の裏面から透かしてみた場合を示し、シート１１の表側に印字された２次元コード２１を裏返した図形２３及びシート１１の表側に印字された「ア」２２を裏返した図形２４を示している。
【００１２】
図３は第２の実施の形態のフローチャートを示し、図４は第２の実施の形態に使用する装置を模式的に示している。
図３において、先ず、ステップＢ１にてスタートし、ステップＢ２に進む。。
次に、ステップＢ２において、搬送コンベアを駆動してシート１１を１枚取り出し、ステップＢ３に進む。
次に、ステップＢ３において、シート１１がデコーダ４の真下に来たら搬送コンベアを停止し、ステップＢ４に進む。
次に、ステップＢ４において、デコーダ４でシート１１に印字された２次元コードを読み取り、ステップＢ５に進む。
次に、ステップＢ５において、シート１１の表裏識別記号「ア」２２は裏か否か判定する。判定結果がＹＥＳのときはステップＢ７に進み、判定結果がＮＯのときはステップＢ６に進む。
ステップＢ５において、マークによる判断に替えて、データ中に付加されているチェックサム（パリティチェック）のチェック結果の正誤を用いて表裏を判断してもよい。具体的には、読み取ったデータを表情報としてパリティチェックを行い、また読み取ったデータを光学的に反転させたデータとなるように変換してパリティチェックを行い、表情報のチェックでＯＫとなればそのデータを表情報と判断し、光学的に反転させたデータのテェック結果がＯＫとなればそのデータを裏情報と判断することが可能である。
次に、ステップＢ６において、２次元コードが読めたか否か判定する。判定結果がＹＥＳのときはステップＢ８に進み、判定結果がＮＯのときはステップＢ７に進む。
【００１３】
次に、ステップＢ７において、デコーダ４で読み込んだデータの表と裏を反転させてから文字へ復元し、ステップＢ８に進む。
次に、ステップＢ８において、読み取り出来るか否か判定する。判定結果がＹＥＳであればステップＢ９に進み、判定結果がＮＯであればステップＢ１０に進む。
次に、ステップＢ９では、シート１１をＯＫシートポケット７に搬送し、ステップＢ１１に進む。
一方、ステップＢ１０では、シート１１をＮＧシートポケット６に搬送し、ステップＢ１１に進む。
次に、ステップＢ１１では、シートスタッカ２が空であるか否か判定する。判定結果がＮＯであればステップＢ２に戻り、順次各ステップを繰り返すことになる。一方、判定結果がＹＥＳであれば、ステップ１２に進み終了する。
【００１４】
図６は、第３の実施の形態のフローチャートを示している。第３の実施の形態は上記図４に示す装置を使用する。通常２次元コードを高い確率で読み取るには、デコーダ４近傍でシート１１を少しずつ動かす手法（寸動）が一般的である。一方、図５の２次元コード２１が印字されたシート１１の印字面が図４の図示上面又は下面など様々に向いている状態のままであるので、２次元コード２１を読み取るときには、印字面が下側を向いていて本来読み取ることができないシート１１についても寸動しているので、単位時間当たりの読み取り枚数が減少していた。
工場等では、シート１１がいくつかの一時集積箇所から集められてくると、一時集積工程では、１〜数名の作業者が作業の進捗に従ってシート１１をケースから外して回収してくるので、シート１１の状態は、裏、表、裏、表、裏、裏、表、裏、表、裏、裏、表、裏、表、裏というように全て向きが変わっていることは稀である。
実際には、作業者の作業上の都合や癖などによって裏、裏、裏、裏、表、表、表、裏、表、表、表、表、表、表、表というように数枚が連続して同じ向きになっていることが多い。
このため、読めなかったシート１１が裏であったとすると、その次に来るシート１１も裏である可能性が高いと推定して寸動回数を減らすことによりシート１全体の読み取り時間を短縮することができる。
【００１５】
図６において、ステップＣ１にてスタートし、ステップＣ２に進む。
次に、ステップＣ２にて、シート１１は片面に２次元コードが印字されたものであり、集積箇所から回収したままの状態でシートスタッカ２に積層されているので、搬送コンベアを駆動してシート１１をシートスタッカ２から１枚取り出し、ステップＣ３に進む。
次に、ステップＣ３にて、シート１１がデコーダ４の真下に来たら搬送コンベアを停止し、ステップＣ４に進む。
次に、ステップＣ４にて、デコーダ４でシート１１に印刷された２次元コードを読み取り、ステップＣ５に進む。
次に、ステップＣ５にて、前記２次元コードが読めたか否か判定する。判定結果がＹＥＳであればステップＣ７に進み、判定結果がＮＯであればステップＣ６に進む。
次に、ステップＣ６では、搬送コンベアによりシート１１を寸動し、ステップＣ８に進む。
【００１６】
次に、ステップＣ８では、デコーダ４でシート１１に印字された２次元コードを読み取り、ステップＣ９に進む。このとき、前記ステップＣ４、Ｃ５と同様の工程を取る。また、１回の寸動で３回読み取り動作をする。
次に、ステップＣ９では、寸動回数は変数Ｎに達したか否か判定する。判定結果がＮＯであればステップＣ４に戻り、判定結果がＹＥＳであればステップＣ１０に進む。このとき、２次元コードが読み取られていないので、シート１１は裏であったと仮定するとともに、次に送られてくるシート１１が裏であると推定する。
次に、ステップＣ１０では、寸動回数を減算し、ステップＣ１２に進む。なお、寸動回数を１以下にはしない。
次に、ステップＣ１２では、シート１１をＮＧシートポケット６に搬送し、ステップＣ１３に進む。
一方、ステップＣ７では、次のシート１１が表であると推定して、寸動回数を初期値（例えば３回）に戻し、ステップＣ１１に進む。  次に、ステップＣ１１では、シート１１をＯＫシートポケット７へ搬送し、ステップＣ１３へ進む。
次に、ステップＣ１３では、シートスタッカ２が空であるか否か判定する。判定結果がＮＯであればステップＣ２に戻り、順次各ステップを繰り返し、一方判定結果がＹＥＳであればステップＣ１４に進み終了する。
【００１７】
図７は第４の実施の形態を示すフローチャートである。第４の実施の形態は、過去に読み取ったシートの可読・不読のデータからシートの寸動回数を変化させることによりシート全体の読み取り時間を短縮するものであり、上記図４に示す装置を使用する。
図７において、先ず、ステップＤ１では、片面に２次元コードが印字されたシート１１を集積箇所から回収したままの状態で読み取り装置にかけた状態でスタートし、その後ステップＤ２に進む。
次に、ステップＤ２では、搬送コンベアを駆動してシート１１をシートスタッカ２から１枚取り出し、ステップＤ３に進む。
次に、ステップＤ３では、シート１１がデコーダ４の真下に来たら搬送コンベアを停止し、ステップＤ４に進む。
次に、ステップＤ４では、デコーダ４でシート１１に印字された２次元コードを読み取り、ステップＤ５に進む。なお、デコーダ４には先回までに読み取りを行った時のデータが一定枚数分格納されている。
次に、ステップＤ５では、前記２次元コードが読み取れたか否か判定する。判定結果がＮＯであればステップＤ６に進む。一方、判定結果がＹＥＳであればステップＤ８に進む。
次に、ステップＤ６では、寸動回数は変数Ｎに達したか否か判定する。判定結果がＮＯであればステップＤ７に進む。一方、判定結果がＹＥＳであればステップＤ９に進む。
次に、ステップＤ７では、搬送コンベアによりシート１１を寸動し、その後ステップＤ４に戻り、各ステップを繰り返す。
【００１８】
一方、ステップＤ８では、シート１１をＯＫシートポケット７へ搬送し、ステップＤ１０に進む。
次に、ステップＤ９では、シート１１をＮＧシートポケット６へ搬送し、その後ステップＤ１０に進む。
次に、ステップＤ１０では、反転係数処理、連続係数処理を行う。このとき、演算装置にて可読→不読、または不読→可読と変化した時に反転係数を＋１する。また、演算装置にて可読→可読、または不読→不読となった時に反転係数を変化させない。更に、演算装置にて直近の一定値のデータから得られた反転係数値に応じて最適な寸動回数を計算し、読み取り装置に伝える。
例えば、反転係数値が高い程、シート１１の裏、表が交互にデコーダ４側になるようにシート１１が送られてきているので、次に来るシート１１の推定ができないとして寸動回数を一定値にする。
また、反転回数値が低い程、表若しくは裏のシート１１が連続して送られて来ているので、直近に読み取ったシート１１が可読であれば、寸動回数を多く設定し、裏であれば少なく設定し読み取り装置に伝達する。その後ステップＤ１１に進む。なお、表１及び表２は次回読み取りトライ回数の例を示す。
【００１９】
【表１】
0003707478.tif 000002
【表２】
0003707478.tif 000003
【００２０】
次に、ステップＤ１１では、シート１１の寸動回数を演算またはテーブルより取得する。このとき、連続回数カウンタ値（ＣＣ）から得られる次読取トライ回数を単独で利用してもよいし、反転回数計数カウンタ値（ＲＣ）から得られる次読取トライ回数を単独で利用してもよい。また、連続回数カウンタ値（ＣＣ）から得られる次読取トライ回数と反転回数計数カウンタ値（ＲＣ）から得られる次読取トライ回数のうち大きな方の値を採用してもよい。
次に、ステップＤ１２では、寸動回数を変数Ｎに設定し、ステップＤ１３に進む。
次に、ステップＤ１３では、シートスタッカ２が空であるか否か判定する。判定結果がＮＯであればステップＤ２に戻り各ステップを繰り返し、判定結果がＹＥＳであればステップＤ１４に進み終了する。
【００２１】
図８は第５の実施の形態のフローチャートを示している。なお、この場合、図９の装置を使用する。図９ではセンサ１２が支柱１２ａによりフレーム１０に固定されている。また、ＣＰＵ１ｂは図２のＣＰＵ１に相当する。その他は図４と同じである。
この場合、シート１１に印字された文字等をセンサ１２にて識別して予めシート１１の表裏を判別することにより読み取りトライ回数を変化させながら２次元コードを効率良く読み取る。
センサ１２が検知したシート１１の表裏の情報は処理装置に送られて２次元コード読み取り装置に対して「読み取りのためにシート１１をデコーダ４の真下に静止させることを行わない」、または、「読み取り動作の停止」、または、「読み取り寸動動作を中止」や「動作回数を最小限にする」など、読み取りに関する時間を最小にする制御を行う。
【００２２】
図８において、先ず、ステップＥ１にてスタートし、ステップＥ２に進む。
次に、ステップＥ２において、搬送コンベアを駆動してシート１１を一枚取り出し、ステップＥ３に移る。
次に、ステップＥ３において、センサ（例えば光反射量センサ等）１２がシート１２の読取面への印字の有無を検出し、ステップＥ４に進む。
次に、ステップＥ４において、シート１１の読取面に印字があるか否か判定する。判定結果がＹＥＳであればステップＥ５に進む。一方、判定結果がＮＯであればステップＥ９に進む。
次に、ステップＥ５ではシート１１の駆動装置の寸動回数をセットし、ステップＥ６に進む。
次に、ステップＥ６では、シート１１の駆動装置の寸動をし、読取トライし、ステップＥ７に進む。
【００２３】
次に、ステップＥ７では、読取ＯＫか否か判定する。判定結果がＮＯであればステップＥ８に進み、判定結果がＹＥＳであればステップＥ１０に進む。
次に、ステップＥ８では、設定回数まで寸動し読取トライしたか否か判定する。判定結果がＹＥＳであればステップＥ９に進み、判定結果がＮＯであればステップＥ６に戻る。
次に、ステップＥ９では、シート１１をＮＧシートポケット６へ搬送し、ステップＥ１１に進む。
一方、ステップＥ１０では、シート１１をＯＫシートポケット７へ搬送し、ステップＥ１１に進む。
次に、ステップＥ１１では、シートスタッカ２が空であるか否か判定し、判定結果がＮＯであればステップＥ２に戻り、判定結果がＹＥＳであればステップＥ１２に進む終了する。
【００２４】
なお、シートの一辺を斜めに裁断し、シートを台形またはひし形等の形状にすることにより、または、シートに突起を設けることによりシートが裏返しになっているときにシートの自重により自然と裏表を分離する方法がある。
情報を２次元にコード化して（例えばＱＲコードのような）２次元コードを薄いシート状のもの（例えば紙等）の片面のみに印字する。
片面しか読み取りの機能がない読み取り装置においては、印字されていない面が読み取り側を向いて搬送されて来た場合にも読み取りをトライして２次元コードが印字されていないことを確認したりする無駄時間が発生したり、予め読み取る前にシートの裏表を判別する装置を取り付けて裏表を向いて搬送されてきたシート１１をそのまま排出しても無駄に搬送される時間が必要になり結局単位時間にシートに印字された２次元コードを読み取る性能（スループレット）が低下する。
このため、▲１▼薄いシートの一辺に傾きを設ける。または突起を設けて裁断する。▲２▼裏表を揃えずに回収されてきたシートは、整列台に載せられる。▲３▼整列台の上に回収されてきたシートの束を載せるとシートは自重で左右に別れる。▲４▼左右に分かれたシートはそれぞれ別々に取り出すと表裏が整列できる。▲５▼このよに整列後に読み取り装置にかけることで無駄時間を削除できる。
なお、図１０はシート読み取り装置にかける前のシートの整列台を説明している。図１０（ａ）は第１の例を示し、図１０（ｂ）は第２の例を示している。
図１０（ａ）では、整列台３１が容器状であり、壁面３２、３３及び底面３４によりシート５１が整列される。このとき、突起物３６で上からシート５１の束を矢印３５方向に抑えると、各シート５１は矢印３５ａ方向または矢印３５ｂ方向に別れる。このとき、矢印３５ａ方向に移動するシート５１は表面５１ａ側を示し、矢印３５ｂ方向に移動するシート５１は裏面５１ｂ側を示している。
【００２５】
図１０（ｂ）においては、整列台４１が容器状であり、シート５２の束が整列台４１により整列される。整列台４１は壁面４２、４３及び底面４４を有し、底面４４には凹部４４ａ、４４ｂが形成されている。シート５２には突起５２ｘ、５２ｙが形成されている。図ではこの突起５２ｙが前記底面の凹部４４ａまたは凹部４４ｂ内に入り込むが、突起５２ｙが凹部４４ａに入る場合はシート５２の表５２ａを示し、突起５２ｙが凹部４４ｂに入るとシート５２の裏側５２ｂを示す。なお、矢印４５ａ〜４５ｄはシート５２の移動方向を示す。
【００２６】
図１１は各種形状のシートを説明している。図１１において、シート６１は平行四辺形であり、辺６１ａと辺６１ｃは平行であり、辺６１ｂと辺６１ｄは平行である。
シート６２はほぼ平行四辺形であり、辺６２ａと辺６２ｃは平行であり、辺６２ｂと辺６２ｄは平行である。更に、辺６２ａに突起部６２ｘが形成され、辺６２ｃに切欠６２ｙが形成されている。
シート６３は台形であり、辺６３ｂと辺６３ｄは平行であるが、辺６３ａと辺６３ｃは平行ではない。
シート６４はほぼ台形であり、辺６４ｂと辺６４ｄは平行であるが、辺６４ａと辺６４ｃは平行ではない。更に辺６４ｃに切欠６４ｙが形成されている。
【００２７】
シート７１はほぼ長方形であり、短辺７１ａと短辺７１ｃは対向し、長辺７１ｂと長辺７１ｄは対向している。更に、短辺７１ａと長辺７１ｂとの交わる隅に切欠７１ｘが形成され、短辺７１ｃに突起７１ｙが形成されている。
シート７２もほぼ長方形であり、短辺７２ａと短辺７２ｃは対向し、長辺７２ｂと長辺７２ｄは対向している。更に、短辺７２ａに三角形状切欠７２ｘが形成され、短辺７２ｃに三角形状突起７２ｙが形成されている。
シート７３もほぼ長方形であり、短辺７３ａと短辺７３ｃは対向し、長辺７３ｂと長辺７３ｄは対向している。更に、短辺７３ａに半円状切欠７３ｘが形成され、短辺７３ｃに半円状突起７３ｙが形成されている。
シート７４もほぼ長方形であり、短辺７４ａと短辺７４ｃは対向し、長辺７４ｂと長辺７４ｄは対向している。更に、短辺７４ａに四角形状切欠７４ｘが形成され、短辺７４ｃに四角形状突起７４ｙが形成されている。
【００２８】
シート７５もほぼ長方形であり、短辺７５ａと短辺７５ｃは対向し、長辺７５ｂと長辺７５ｄは対向している。更に、短辺７５ａに四角形状突起７５ｘが形成され、短辺７５ｃに四角形状突起７５ｙが形成されている。
シート７６もほぼ長方形であり、短辺７６ａと短辺７６ｃは対向し、長辺７６ｂと長辺７６ｄは対向している。更に、短辺７６ａに三角形状突起７６ｘが形成され、短辺７６ｃに三角形状突起７６ｙが形成されている。
シート７７もほぼ長方形であり、短辺７７ａと短辺７７ｃは対向し、長辺７７ｂと長辺７７ｄは対向している。更に、短辺７７ａに半円状突起７７ｘが形成され、短辺７７ｃに半円状突起７７ｙが形成されている。
シート７８もほぼ長方形であり、短辺７８ａと短辺７８ｃは対向し、長辺７８ｂと長辺７８ｄは対向している。更に、短辺７８ａに四角形状突起７７ｘが形成され、短辺７８ｃに四角形状突起７８ｙが形成されている。
【００２９】
【発明の効果】
本願の第１の発明に係わるカード情報読み取り方法によれば、カードが裏返っているときでも、カードの裏面からカード情報の読み取りが可能となり、カード情報を光学的に読み取り、読み取った情報がカードの表情報か否かを判定し、読み取った情報がカードの表情報でなかった場合に前記読み取った情報を表情報に変換するので、カードを反転することなくカード情報の読み取りが可能となる。このため、カードを反転する装置が不要となる。
更に、カードの表側に記録されたマークを判別することにより前記表情報か否かを判定するので、カードの表裏の判別が容易になる。
更に、カード情報読み取り装置をカードの両側に配置することなく、カードが裏返っているときでも、カードの裏面側からカード情報を読み取ることができる。このため、カード情報読み取り装置を小型かつ安価にすることができる。
【図面の簡単な説明】
【図１】本願発明の第１の実施の形態に係わるシート情報の読み取り方法を示すフローチャートである。
【図２】前記第１の実施の形態に使用するシート情報読み取り装置の説明図である。
【図３】本願発明の第２の実施の形態に係わるシート情報の読み取り方法を示すフローチャートである。
【図４】前記第２の実施の形態に使用するシート情報読み取り装置の説明図である。
【図５】前記第２の実施の形態に使用する２次元コードの説明図である。
【図６】本願発明の第３の実施の形態に係わるシート情報の読み取り方法を示すフローチャートである。
【図７】本願発明の第４の実施の形態に係わるシート情報の読み取り方法を示すフローチャートである。
【図８】本願発明の第５の実施の形態に係わるシート情報の読み取り方法を示すフローチャートである。
【図９】前記第５の実施の形態に使用するシート情報読み取り装置の説明図である。
【図１０】シートの整列台の説明図である。
【図１１】シートの各種形状の説明図である。
【符号の説明】
１  ＣＰＵ
４  デコーダ
６  ＮＧシートポケット
７  ＯＫシートポケット
８  光源
１１  シート
２１  ２次元コードの表
２２  ２次元コードの表識別マーク
２３  ２次元コードを裏がえした図形
２４  ２次元コードの表識別マークを裏がえした図形
【図１】
0003707478.tif 000004
【図２】
0003707478.tif 000005
【図３】
0003707478.tif 000006
【図４】
0003707478.tif 000007
【図５】
0003707478.tif 000008
【図６】
0003707478.tif 000009
【図７】
0003707478.tif 000010
【図８】
0003707478.tif 000011
【図９】
0003707478.tif 000012
【図１０】
0003707478.tif 000013
【図１１】
0003707478.tif 000014